(57)【要約】【課題】  迅速に前処理や後処理の画面に移行して印刷に必要な設定や選択が行なえるようにする。【解決手段】  リモコンの処理戻しボタンと処理進めボタンのデザインと同一のデザインのマークを処理画面の処理表示領域の処理項目の左右と画面の左右端の中央に表示し、リモコンの処理戻しボタンや処理進めボタンが操作されたときに、テレビ受像器に表示出力している画面を構成する処理に対してボタン操作に対応する処理のトップ画面を選択し（Ｓ１５０）、設定情報を反映させてテレビ受像器に表示出力する（Ｓ１６０）。これにより、テレビ受像器に表示出力している画面を構成として含む処理の前の処理や後の処理に迅速に移行することができる。【選択図】        図４
2005186317.tif 000002
【特許請求の範囲】
【請求項１】
操作信号を送信する操作用機器と、受信した操作信号に基づいて少なくとも１つの画面から構成される複数の処理を画面の表示機器への表示出力を伴って順次実行することにより印刷を実行する印刷装置本体と、からなる印刷装置であって、
前記操作用機器は、操作者の操作を受け付ける操作受付手段と、該受け付けた操作を操作信号に変換して送信する信号変換送信手段と、を備え、
前記印刷装置本体は、操作信号を受信する信号受信手段と、該受信した操作信号を解析する信号解析手段と、前記複数の処理を構成する各画面を記憶する画面記憶手段と、前記複数の処理における各画面を用いて設定された設定情報を記憶する設定情報記憶手段と、前記信号解析手段により前記受信した操作信号が前処理または後処理への移行を指示する信号であるとき、前記表示機器に表示出力している画面を構成として含む処理の前処理または後処理を構成する画面を前記画面記憶手段から取得すると共に該取得した画面に対応する設定情報を前記設定情報記憶手段から取得し、該取得した画面に該取得した設定情報を反映させて前記表示機器に表示出力する処理切替制御手段と、を備える
印刷装置。
【請求項２】
請求項１記載の印刷装置であって、
前記操作用機器の操作受付手段は、前処理または後処理を指示するための所定のデザインの操作ボタンを備え、
前記印刷装置本体の画面記憶手段に記憶されている画面は、前記所定のデザインの操作ボタンが描かれてなる
印刷装置。
【請求項３】
請求項１記載の印刷装置であって、
前記操作用機器の操作受付手段は、前処理を指示するための第１のデザインの前処理ボタンと後処理を指示するための第２のデザインの後処理ボタンとを備え、
前記印刷装置本体の画面記憶手段に記憶されている画面は、前記第１のデザインの前処理ボタンおよび／または前記第２のデザインの後処理ボタンが描かれてなる
印刷装置。
【請求項４】
前記印刷装置本体の画面記憶手段に記憶されている画面は、該画面を構成として含む処理の前処理があるときには前記第１のデザインの前処理ボタンが描かれてなり、該画面を構成として含む処理の後処理があるときには前記第２のデザインの後処理ボタンが描かれてなる請求項３記載の印刷装置。
【請求項５】
前記印刷装置本体の画面記憶手段に記憶されている画面は、前記第１のデザインの前処理ボタンは画面の左部に描かれてなり、前記第２のデザインの後処理ボタンは画面の右部に描かれてなる請求項４記載の印刷装置。
【請求項６】
前記印刷装置本体の画面記憶手段に記憶されている画面は、前記複数の処理の処理名を並べて表示する処理名表示部を有し、前記第１のデザインの前処理ボタンは前記処理名表示部に表示された処理名のうち前記表示機器に表示出力している画面を構成とする処理の処理名の左側に描かれてなり、前記第２のデザインの前処理ボタンは前記処理名表示部に表示された処理名のうち前記表示機器に表示出力している画面を構成とする処理の処理名の右側に描かれてなる請求項４または５記載の印刷装置。
【請求項７】
前記処理切替制御手段は、移行しようとする処理が複数の画面により構成されているときには、該処理における最初の画面を前記処理に対応する画面として前記画面記憶手段から取得する手段である請求項１ないし６いずれか記載の印刷装置。
【請求項８】
前記処理切替制御手段は、前処理に移行しようとするときに前処理が複数の画面により構成されているときには、該前処理における最後の画面を前記処理に対応する画面として前記画面記憶手段から取得する手段である請求項１ないし６いずれか記載の印刷装置。
【請求項９】
前記設定情報記憶手段は、操作者による操作に基づいて変更されるまでデフォルトの設定情報を記憶する手段である請求項１ないし８いずれか記載の印刷装置。
【請求項１０】
前記処理切替制御手段は、前記複数の処理のうち最初の処理に対応する画面を前記表示機器に表示出力する際には、前記設定情報記憶手段に記憶されている設定情報をデフォルトの設定情報に変更する手段である請求項９記載の印刷装置。
【請求項１１】
前記印刷装置本体は、外観が高さが２０ｃｍ以下で幅が６０ｃｍ以下で奥行きが６０ｃｍ以下の略箱形形状に形成されてなる請求項１ないし１０いずれか記載の印刷装置。
【請求項１２】
前記印刷装置本体は、側面の一方を正面とし、該正面から印刷用記録剤カートリッジを着脱することを特徴とする請求項１１記載の印刷装置。
【請求項１３】
前記印刷装置本体は、側面の一方を正面とし、該正面から給排紙することを特徴とする請求項１１または１２記載の印刷装置。
【請求項１４】
前記表示機器はテレビ受像器である請求項１ないし１３いずれか記載の印刷装置。
【発明の詳細な説明】
【技術分野】
【０００１】
本発明は、印刷装置に関し、詳しくは、操作信号を送信する操作用機器と受信した操作信号に基づいて少なくとも１つの画面から構成される複数の処理を画面の表示機器への表示出力を伴って順次実行することにより印刷を実行する印刷装置本体とからなる印刷装置に関する。
【背景技術】
【０００２】
従来、この種の印刷装置としては、ストレージから読み込んだ画像を家庭用のテレビ画面に表示して拡大縮小などの編集を施した後に印刷するものが提案されている（例えば、非特許文献１参照）。この装置では、テレビ画面に表示される領域を印刷領域としてストレージから画像を読み込んで割り付け、画像の配置を変更したり、画像を拡大または縮小したり、画像を回転させたり、文字を入力したりするなどの編集を施して印刷することができる。
【０００３】
【非特許文献１】松下電器産業株式会社、「Ｐａｎａｓｏｎｉｃ  ホームフォトプリンターＳＶ−ＡＰ１０」、［平成１５年１１月２２日検索］、インターネット＜URL:http://prodb.matsushita.co.jp/products/panasonic/SV/SV-AP10.html＞，＜URL:http://prodb.matsushita.co.jp/products/panasonic/SV/SV-AP10_s.html＞
【発明の開示】
【発明が解決しようとする課題】
【０００４】
このような印刷装置では、印刷しようとする画像の選択処理やテンプレートの選択処理、用紙種類や用紙サイズなどの設定処理など複数の処理を複数の画面を用いて順次行なって印刷を実行するため、途中で画像を変更する場合やテンプレートを変更する場合、あるいは設定した内容を変更する場合には、すべての処理を最初からやり直さなければならない。こうした場合を想定して直前の画面に戻す「戻る」ボタンを設け、このボタンの操作により順次前の画面に戻って画像の変更やテンプレートの変更や設定内容の変更を行なうことも考えられるが、画面数が多い場合には所望の画面に戻るまでに多くの手間を要してしまう。更に、家庭用のテレビ受像器に画面を表示出力すると共にリモートコントロール機（リモコン）の操作ボタンの操作によって各処理を実行する場合、画像の変更やテンプレートの変更あるいは設定した内容の変更に対して迅速に対応できるような工夫も必要となる。
【０００５】
本発明の印刷装置は、迅速に前処理や後処理の画面に移行して印刷に必要な設定や選択が行なえるようにすることを目的の一つとする。また、本発明の印刷装置は、簡易な操作によって前処理や後処理に移行させることを目的の一つとする。
【課題を解決するための手段】
【０００６】
本発明の印刷装置は、上述の目的の少なくとも一部を達成するために以下の手段を採った。
【０００７】
本発明の印刷装置は、
操作信号を送信する操作用機器と、受信した操作信号に基づいて少なくとも１つの画面から構成される複数の処理を画面の表示機器への表示出力を伴って順次実行することにより印刷を実行する印刷装置本体と、からなる印刷装置であって、
前記操作用機器は、操作者の操作を受け付ける操作受付手段と、該受け付けた操作を操作信号に変換して送信する信号変換送信手段と、を備え、
前記印刷装置本体は、操作信号を受信する信号受信手段と、該受信した操作信号を解析する信号解析手段と、前記複数の処理を構成する各画面を記憶する画面記憶手段と、前記複数の処理における各画面を用いて設定された設定情報を記憶する設定情報記憶手段と、前記信号解析手段により前記受信した操作信号が前処理または後処理への移行を指示する信号であるとき、前記表示機器に表示出力している画面を構成として含む処理の前処理または後処理を構成する画面を前記画面記憶手段から取得すると共に該取得した画面に対応する設定情報を前記設定情報記憶手段から取得し、該取得した画面に該取得した設定情報を反映させて前記表示機器に表示出力する処理切替制御手段と、を備える
ことを要旨とする。
【０００８】
この本発明の印刷装置では、操作用機器から送信されて受信した操作信号が前処理または後処理への移行を指示する信号であるときには、表示機器に表示出力している画面を構成として含む処理の前処理または後処理に対応する画面を複数の処理を構成する各画面を記憶する画面記憶手段から取得すると共にこの取得した画面に対応する設定情報を複数の処理における各画面を用いて設定された設定情報を記憶する設定情報記憶手段から取得し、この取得した画面に取得した設定情報を反映させて表示機器に表示出力する。したがって、操作用機器から前処理や後処理への移行を指示するだけで、各処理が複数の画面により構成されていても表示機器に表示出力している処理の前の処理や後の処理を構成する画面に迅速に切り替えることができる。この結果、印刷に必要な選択や設定の変更を迅速に行なうことができる。
【０００９】
こうした本発明の印刷装置において、前記操作用機器の操作受付手段は前処理または後処理を指示するための所定のデザインの操作ボタンを備え、前記印刷装置本体の画面記憶手段に記憶されている画面は前記所定のデザインの操作ボタンが描かれてなるものとすることもできる。こうすれば、操作者は、操作用機器に設けられたボタンのうち表示機器に表示されている画面に描かれた所定のデザインのボタンと同じデザインのボタンを操作するだけで表示機器に表示出力している処理の前の処理や後の処理を構成する画面に迅速に切り替えることができる、即ち、簡易な操作によって前処理や後処理に移行させることができるのである。
【００１０】
また、本発明の印刷装置において、前記操作用機器の操作受付手段は前処理を指示するための第１のデザインの前処理ボタンと後処理を指示するための第２のデザインの後処理ボタンとを備え、前記印刷装置本体の画面記憶手段に記憶されている画面は前記第１のデザインの前処理ボタンおよび／または前記第２のデザインの後処理ボタンが描かれてなるものとすることもできる。こうすれば、操作者は、操作用機器に設けられたボタンのうち表示機器に表示されている画面に描かれた第１のデザインのボタンや第２のデザインのボタンと同じデザインのボタンを操作するだけで表示機器に表示出力している処理の前の処理や後の処理を構成する画面に迅速に切り替えることができる、即ち、簡易な操作によって前処理や後処理に移行させることができるのである。
【００１１】
この第１のデザインのボタンと第２のデザインのボタンとを用いる態様の本発明の印刷装置において、前記印刷装置本体の画面記憶手段に記憶されている画面は、該画面を構成として含む処理の前処理があるときには前記第１のデザインの前処理ボタンが描かれてなり、該画面を構成として含む処理の後処理があるときには前記第２のデザインの後処理ボタンが描かれてなるものとすることもできる。この場合、前記印刷装置本体の画面記憶手段に記憶されている画面は、前記第１のデザインの前処理ボタンは画面の左部に描かれてなり、前記第２のデザインの後処理ボタンは画面の右部に描かれてなるものとすることもできる。また、前記印刷装置本体の画面記憶手段に記憶されている画面は、前記複数の処理の処理名を並べて表示する処理名表示部を有し、前記第１のデザインの前処理ボタンは前記処理名表示部に表示された処理名のうち前記表示機器に表示出力している画面を構成とする処理の処理名の左側に描かれてなり、前記第２のデザインの前処理ボタンは前記処理名表示部に表示された処理名のうち前記表示機器に表示出力している画面を構成とする処理の処理名の右側に描かれてなるものとすることもできる。これらの場合、操作者に、表示機器に表示出力された画面に描かれた前処理ボタンや後処理ボタンにより前処理への移行や後処理への移行を容易に行なうことができるのを知らせることができる。この結果、印刷装置を初めて使用する操作者でも容易に印刷を実行することができる。
【００１２】
本発明の印刷装置において、前記処理切替制御手段は、移行しようとする処理が複数の画面により構成されているときには、該処理における最初の画面を前記処理に対応する画面として前記画面記憶手段から取得する手段であるものとすることもできる。こうすれば、前処理や後処理に移行したときにその処理の最初の画面から処理を実行することができる。
【００１３】
また、本発明の印刷装置において、前記処理切替制御手段は、前処理に移行しようとするときに前処理が複数の画面により構成されているときには、該前処理における最後の画面を前記処理に対応する画面として前記画面記憶手段から取得する手段であるものとすることもできる。こうすれば、前処理に移行したときにその処理における最後の画面に戻すことができる。
【００１４】
本発明の印刷装置において、前記設定情報記憶手段は、操作者による操作に基づいて変更されるまでデフォルトの設定情報を記憶する手段であるものとすることもできる。こうすれば、何らの設定もしなくてもデフォルトの設定情報に基づいて印刷することができる。この場合、前記処理切替制御手段は、前記複数の処理のうち最初の処理に対応する画面を前記表示機器に表示出力する際には、前記設定情報記憶手段に記憶されている設定情報をデフォルトの設定情報に変更する手段であるものとすることもできる。こうすれば、印刷に関する設定や選択の初期化を自動的に行なうことができる。
【００１５】
本発明の印刷装置において、前記印刷装置本体は、外観が高さが２０ｃｍ以下で幅が６０ｃｍ以下で奥行きが６０ｃｍ以下の略箱形形状に形成されてなるものとすることもできる。この場合、前記印刷装置本体は側面の一方を正面とし、該正面から印刷用記録剤カートリッジを着脱することを特徴とするものとすることもできる、また、前記印刷装置本体は、側面の一方を正面とし、該正面から給排紙することを特徴とするものとすることもできる。なお、前述の「表示機器」としてはテレビ受像器を用いることができる。
【発明を実施するための最良の形態】
【００１６】
次に、本発明を実施するための最良の形態を実施例を用いて説明する。
【実施例】
【００１７】
図１は本発明の一実施例としての印刷装置２０を備える印刷システム１０の構成の概略を示す構成図であり、図２は実施例の印刷装置２０のメイン基板３０を中心に印刷システム１０を機能ブロックとして示すブロック図である。実施例の印刷装置２０は、図１に示すように、ケーブル１４を介して接続されたテレビ受像器１２とにより印刷システム１０を構成しており、印刷装置本体２２と、印刷装置本体２２を遠隔操作するための発光部９２を備えるリモートコントロールユニット（以下、リモコンと称す）９０とから構成されている。印刷装置本体２２は、高さが５〜２０ｃｍで幅が２２ｃｍ〜６０ｃｍで奥行きが１０〜６０ｃｍ（実施例では高さ１２ｃｍ、幅４５ｃｍ、奥行き４５ｃｍ）の箱形とし、側面の一方が正面２３となるよう構成されており、この正面２３には、給排紙やインクカートリッジの着脱を正面から行なうための開口部が設けられカバー２４が取り付けられている。また、正面２３の左部には、リモコン９０から送信された光信号（赤外線光信号）を受信するための受光部２６を備える操作パネル２５が設けられており、その下部にはコンパクトフラッシュやＳＤ（Secure Digital）メモリカード，スマートメディアなどのＰＣカード１５を装着するカードスロット２７が設けられている。
【００１８】
実施例の印刷装置２０のメイン基板３０は、図２に示すように、印刷装置２０全体を制御するメイン制御ユニット３２を中心として構成されており、処理プログラムを記憶するＲＯＭ３４、処理に必要なデータを一時的に記憶するＳＤＲＡＭ３６、操作パネル２５からの操作信号や受光部２６で受光した光信号を解析してコード化すると共にカードスロット２７に装着されたＰＣカード１５との入出力を制御するカード操作部制御ユニット３８，ＶＲＡＭ４２への書き込みを用いてテレビ受像器１２への表示出力を制御するビデオチップ４０，印刷ヘッド６３を動かすキャリッジモータ６０や紙送り用のＰＦモータ６１，ポンプモータ６２などを駆動するモータドライバ４４、印刷ヘッド６３の駆動用波形を生成するヘッド用ＤＡＣ４６，デジタルスチルカメラやＣＤ−Ｒなどの周辺機器１７と接続するためのホスト用ＵＳＢコネクタ４８，コンピュータ（ＰＣ）１６などと接続するためのデバイス用ＵＳＢコネクタ５０，キャリッジの位置を検出するＣＲエンコーダ６４や紙送りの位置を検出するＰＦエンコーダ６５，ＤＶＤトレーにおけるＤＶＤの有無を検出するＤＶＤトレー検出センサ６６，紙送り機構における用紙の有無を検出する用紙検出センサ６７，用紙トレーにおける用紙の有無を検出する用紙トレー検出センサ６８，カバー２４が開いているのを検出するカバーオープンセンサ６９などの各種センサの接続コネクタ、電源１９への接続コネクタが設けられている。これらの各ユニットやコネクタは、バスや信号ラインによりメイン制御ユニット３２に接続されている。
【００１９】
メイン制御ユニット３２は、カード操作部制御ユニット３８を介してＰＣカード１５から入力した画像ファイルやホスト用ＵＳＢコネクタ４８を介して周辺機器１７から入力した画像ファイルをファイルの形式に応じて展開すると共にレイアウト処理を行なって印刷イメージを作成し、これをＣＭＹＫへの色変換や２値化などの処理を行なって印刷ヘッド６３により印刷可能なデータとして印刷を実行したり、デバイス用ＵＳＢコネクタ５０を介してＰＣ１６から入力したプリンタ制御用のコマンドと印刷データに基づいて印刷を実行する。また、メイン制御ユニット３２は、こうした印刷の実行処理だけでなく、画像ファイルの入出力やレイアウトの設定，印刷条件の設定など各種操作をテレビ受像器１２への表示と受光部２６や操作パネル２５からの入力とによって行なう際の処理も実行する。
【００２０】
リモコン９０は、図２に示すように、ボタン操作に対応した光信号を調整して発光部９２から発光する発光制御部９１を備えている。リモコン９０は、図３の外観図に示すように、略長方形の形状をしており、その図中上部側面に発光部９２が取り付けられている。リモコン９０には、発光部９２近傍から、電源ボタン９３ａや画像の拡大や縮小を行なう拡大ボタン９３ｂおよび縮小ボタン９３ｃ，メニューを表示するメニューボタン９３ｄ，処理や画面を直前に戻す戻るボタン９３ｅ，処理を決定したり画像を選択するＯＫボタン９３ｆ，フォーカスフレームを左右や上下に移動させる左ボタン９３ｇ，右ボタン９３ｈ，上ボタン９３ｉ，下ボタン９３ｊ，処理を戻したり進めたりする処理戻しボタン９３ｋおよび処理進めボタン９３ｌ，印刷枚数を増減する枚数増加ボタン９３ｍおよび枚数減少ボタン９３ｎ，印刷を開始する印刷開始ボタン９３ｏ，印刷を中止する印刷中止ボタン９３ｐ，その他の処理に用いられるボタン９３ｑ〜９３ｔなどのボタン群が配置されている。こうして構成されたリモコン９０のボタンが操作者により操作されると、リモコン９０の発光制御部９１により、ボタンに応じた信号に装置を識別する信号を付した光信号に調整して発光部９２から発光する。この光信号を受光部２６で受光すると、カード操作部制御ユニット３８は、上述したように、光信号を解析してコード化してメイン制御ユニット３２に渡す。メイン制御ユニット３２は受け取ったコードに基づいて各処理を実行する。
【００２１】
次に、こうして構成された実施例の印刷装置２０の動作、特に印刷を実行するための複数の処理を切り替える際の動作について説明する。図４は、メイン制御ユニット３２により実行される処理切替処理の一例を示すフローチャートである。この処理切替処理は、印刷装置２０に電源が投入された後に、操作者によりリモコン９０の処理戻しボタン９３ｋか処理進めボタン９３ｌのいずれかが操作されたとき、即ち、このボタン操作に基づいてリモコン９０の発光部９２から発光された光信号を受光部２６により受光し、この受光した光信号をカード操作部制御ユニット３８によりコード化したものをメイン制御ユニット３２が受け取ったときに実行される。
【００２２】
処理切替処理を説明する前に、説明の容易のために、実施例の印刷装置２０で印刷を実行する際の処理について簡単に説明する。実施例の印刷装置２０では、電源を投入すると、ＲＯＭ３４に予め記憶された図示しないメニュー画面がテレビ受像器１２に表示される。そのメニュー画面から「応用プリントモード」を選択すると、ＲＯＭ３４に予め記憶された図５に例示する応用プリントモードのメニュー画面１００がテレビ受像器１２に表示される。このメニュー画面１００は、処理段階を表示する処理表示領域１０２と、メニュー項目を表示するメニュー項目表示領域１０４と、ボタン操作のガイドを簡単に表示するガイド表示領域１０８により構成されている。メニュー項目表示領域１０４に表示されるメニュー項目としては、通常のテンプレートを用いて印刷を行なう「Ｌ判・アルバム・フレーム印刷」やＣＤ−ＲやＤＶＤ−Ｒに直接印刷を行なう「ＣＤ−Ｒ，ＤＶＤ−Ｒ印刷」，シール印刷や自由レイアウトによる印刷などを行なう「その他の印刷」などが用意されている。操作者は、リモコン９０の上ボタン９３ｉや下ボタン９３ｊを操作することによりフォーカスフレームを移動させ、ＯＫボタン９３ｆを操作することにより項目を選択することができる。
【００２３】
このように、メニュー画面１００で項目を選択すると、次の処理としての印刷設定処理に移行し、ＲＯＭ３４に予め記憶された図６に例示する印刷設定画面２００がテレビ受像器１２に表示される。この印刷設定画面２００もメニュー画面１００と同様に、処理表示領域２０２やメニュー項目表示領域２０４，ガイド表示領域２０８により構成されている。メニュー項目表示領域２０４を用いて設定する項目としては、用紙種類や用紙サイズ，レイアウトなどを挙げることができる。用紙種類や用紙サイズを変更するには、上ボタン９３ｉや下ボタン９３ｊによりフォーカスフレームを用紙種類や用紙サイズに合わせた状態で左ボタン９３ｇや右ボタン９３ｈを操作することによりトグル状に変わる内容から所望の内容を表示させることにより行なう。レイアウトの選択は、フォーカスフレームをレイアウトに合わせた状態で左ボタン９３ｇや右ボタン９３ｈを操作してフォーカスフレームを所望のテンプレートに合わせてＯＫボタン９３ｆを操作することにより行なう。この印刷設定画面２００では、メニュー項目表示領域２０４に表示する項目が多く、一画面では表示することができないため、フォーカスフレームを「レイアウト」から下に移動させることにより、ＲＯＭ３４に予め記憶された次の画面をテレビ受像器１２に表示出力して次の画面に移動させることができる。ＲＯＭ３４に記憶された印刷設定画面２００の２番目の画面の一例を図７に示す。
【００２４】
こうして印刷設定を行なうと、次の処理としての写真選択処理に移行し、ＲＯＭ３４に予め記憶された図８に例示する写真選択画面３００がテレビ受像器１２に表示される。この写真選択画面３００は、メニュー画面１００や印刷設定画面２００の処理表示領域１０２，２０２と同様の処理表示領域３０２と、印刷イメージ３０５を表示する印刷イメージ表示領域３０４と、画像を一覧表示する画像表示領域３０６と、メニュー画面１００や印刷設定画面２００のガイド表示領域１０８，２０８と同様のガイド表示領域３０８とにより構成されている。操作者が、左ボタン９３ｇや右ボタン９３ｈ，上ボタン９３ｉ，下ボタン９３ｊを操作して画像表示領域３０６に一覧表示された画像（サムネイル）のうち所望の画像にフォーカスフレームを合わせ、その状態でＯＫボタン９３ｆを操作すると、フォーカスフレームにより選択した画像を印刷する画像として選択することができる。このとき、選択された画像は、選択された順にレイアウトで選択したテンプレートの左上の印刷枠から順に割り付けられ、印刷イメージ表示領域３０４に印刷イメージ３０５として表示される。図８には画像Ｂ，画像Ｆ，画像Ｇの３つを選択した状態を示した。なお、図中の写真選択画面３００の印刷イメージ３０５に表示した印刷枠の数字は、選択された画像が割り付けられる印刷枠の順である。ここで、印刷イメージ３０５は、テンプレートや選択された画像をビデオチップ４０によりリサイズしてＶＲＡＭ４２の所定領域に書き込むことによりテレビ受像器１２に表示出力することができる。このようにしてテンプレートの印刷枠に画像を割り付けられた後に印刷開始ボタン９３ｏが操作されると、画像の割り付けに用いたテンプレートと選択された画像と割り付け結果とを用いて印刷が実行される。即ち、印刷イメージ３０５で確認した内容の印刷を行なうのである。
【００２５】
印刷設定画面２００により設定された内容や写真選択画面３００により選択された画像についての設定情報は、印刷設定画面２００によって設定したときや写真選択画面３００によって画像を選択したときにＳＤＲＡＭ３６の所定領域に書き込まれる。設定情報の一例を図９に示す。図示するように、設定情報としては、用紙種類や用紙サイズ，テンプレート番号，テンプレートの各印刷枠に選択された画像のＩＤが含まれる。なお、こうした設定情報は、デフォルトとしての内容が予め書き込まれており、内容が変更されたときに変更されたものだけが書き替えられる。例えば、印刷設定画面２００でフォーカスフレームを用紙種類に合わせて左ボタン９３ｇや右ボタン９３ｈを操作してＰＭ写真紙を普通紙に変更すると、変更したときに設定情報の用紙種類の内容が普通紙に書き替えられる。
【００２６】
図４の処理切替処理は、上述した各画面のいずれかの画面をテレビ受像器１２に表示出力している最中に処理戻しボタン９３ｋか処理進めボタン９３ｌが操作されたときに実行される。この処理切替処理では、まず、現在テレビ受像器１２に表示出力している画面の処理番号を入力し（ステップＳ１００）、この処理に対してボタン操作の処理があるか否かを判定する（ステップＳ１１０）。実施例では、処理番号は、メニュー画面１００による処理が処理番号１であり、印刷設定画面２００による処理が処理番号２であり、写真選択画面３００による処理が処理番号３である。ボタン操作の処理があるか否かの判定は、メニュー画面１００をテレビ受像器１２に表示出力している処理番号１のときには処理戻しボタン９３ｋに対応する処理は存在しないが処理進めボタン９３ｌに対応する処理（印刷設定画面２００の処理）は存在すると判定し、印刷設定画面２００をテレビ受像器１２に表示出力している処理番号２のときには処理戻しボタン９３ｋに対応する処理（メニュー画面１００の処理）も処理進めボタン９３ｌに対応する処理（写真選択画面３００の処理）も存在すると判定し、写真選択画面３００をテレビ受像器１２に表示出力している処理番号３のときには処理戻しボタン９３ｋに対応する処理（印刷設定画面２００の処理）は存在するが処理進めボタン９３ｌに対応する処理は存在しないと判定することにより行なう。
【００２７】
ボタン操作に対応する処理があるときには、その処理がトップ処理、即ちメニュー画面１００の処理であるか否かを判定し（ステップＳ１２０）、メニュー画面１００の処理のときにはＳＤＲＡＭ３６の所定領域に格納されている設定情報をデフォルト値に初期化する（ステップＳ１３０）。メニュー画面１００の処理に戻ったときには、最初からやり直すものと判断されるため、印刷設定画面２００や写真選択画面３００で設定あるいは選択した設定情報を保持する必要がないからである。
【００２８】
次に、ＳＤＲＡＭ３６の所定領域から設定情報を読み込むと共に（ステップＳ１４０）、ボタン操作に対応する処理のトップ画面を選択し（ステップＳ１５０）、読み込んだ設定情報を選択したトップ画面に反映してテレビ受像器１２に表示出力する（ステップＳ１６０）。例えば、写真選択画面３００がテレビ受像器１２に表示出力されている状態で処理戻しボタン９３ｋを操作すると、図６の印刷設定画面２００と図７の印刷設定画面２００のうちトップ画面である図６の印刷設定画面２００に設定情報を反映させてテレビ受像器１２に表示出力するのである。
【００２９】
ここで、図３のリモコン９０の外観と図５〜図８の各画面を見比べると解るように、処理戻しボタン９３ｋや処理進めボタン９３ｌのデザインと同じデザインのボタンのマークが処理項目を並べて表示する処理表示領域１０２，２０２，３０２の対応する処理項目の左側と右側に表示されると共に各画面１００，２００，３００の左端の中央や右端の中央にも表示される。詳しく説明すれば、処理戻しボタン９３ｋと同じデザインのボタンのマークについては、処理戻しボタン９３ｋの操作が可能な画面における処理表示領域１０２，２０２，３０２の対応する処理項目の左側に表示されると共に各画面１００，２００，３００の左端の中央に表示され、処理進めボタン９３ｌと同じデザインのボタンのマークについては、処理進めボタン９３ｌの操作が可能な画面における処理表示領域１０２，２０２，３０２の対応する処理項目の右側に表示されると共に各画面１００，２００，３００の右端の中央に表示される。このように、リモコン９０の処理戻しボタン９３ｋや処理進めボタン９３ｌと同じデザインのボタンのマークを各画面に描いてテレビ受像器１２に表示出力することにより、処理の移行の方向を操作者に容易に理解させることができる。
【００３０】
以上説明した実施例の印刷装置２０によれば、リモコン９０の処理戻しボタン９３ｋや処理進めボタン９３ｌを操作するだけで、テレビ受像器１２に表示出力している画面を構成として含む処理の前の処理や後の処理に迅速に移行することができる。この結果、印刷に必要な設定や選択の変更を迅速に容易に行なうことができる。しかも、リモコン９０の処理戻しボタン９３ｋや処理進めボタン９３ｌと同じデザインのボタンのマークを各画面に描いてテレビ受像器１２に表示出力するから、処理の移行の方向を操作者に容易に理解させることができる。
【００３１】
実施例の印刷装置２０では、リモコン９０が操作用機器に相当し、印刷装置本体２２が印刷装置本体に相当する。リモコン９０では、各ボタン９３ａ〜９３ｔが操作受付手段に相当し、発光制御部９１と発光部９２とが信号変換送信手段に相当する。印刷装置本体２２では、受光部２６が信号受信手段に相当し、カード操作部制御ユニット３８が信号解析手段に相当し、ＲＯＭ３４が画面記憶手段に相当し、ＳＤＲＡＭ３６が設定情報記憶手段に相当し、図４の処理切替処理を実行するメイン制御ユニット３２が処理切替制御手段に相当する。
【００３２】
実施例の印刷装置２０では、メニュー画面１００の処理については１画面により構成し、印刷設定画面２００の処理については２画面により構成し、写真選択画面３００の処理については１画面により構成したが、各処理は、１画面以上の画面により構成すれば如何なる数の画面により構成しても構わない。
【００３３】
実施例の印刷装置２０では、ボタン操作に対応する処理のトップ画面を選択して設定情報を反映してテレビ受像器１２に表示出力するものとしたが、ボタン操作に対応する処理のトップ画面以外の画面に設定情報を反映させてテレビ受像器１２に出力するものとしてもよい。例えば、処理進めボタン９３ｌが操作されたときには後の処理のトップ画面を選択してテレビ受像器１２に表示し、処理戻しボタン９３ｋが操作されたときには前の処理の最後の画面を選択してテレビ受像器１２に表示するものとしてもよい。
【００３４】
実施例の印刷装置２０では、処理戻しボタン９３ｋや処理進めボタン９３ｌのデザインと同じデザインのボタンのマークを処理項目を並べて表示する処理表示領域１０２，２０２，３０２の対応する処理項目の左側と右側に表示すると共に各画面１００，２００，３００の左端の中央や右端の中央にも表示したが、こうしたマークを画面１００，２００，３００の左端の中央や右端の中央には表示せずに処理表示領域１０２，２０２，３０２の対応する処理項目の左側と右側だけに表示するものとしたり、逆に処理表示領域１０２，２０２，３０２の対応する処理項目の左側と右側には表示せずに、各画面１００，２００，３００の左端の中央や右端の中央だけに表示するものとしてもよい。また、こうしたマークについては、画面中の如何なる箇所に表示するものとしてもよい。例えば、各画面１００，２００，３００の左端や右端の上部に表示するものとしたり、各画面１００，２００，３００の左端や右端の下部に表示するものとしたりしてもよい。
【００３５】
実施例の印刷装置２０では、処理戻しボタン９３ｋや処理進めボタン９３ｌのデザインとして処理の方向を「矢印」とするものとしたが、各画面１００，２００，３００に表示されるデザインと同一であれば処理戻しボタン９３ｋや処理進めボタン９３ｌのデザインについては如何なるデザインにしてもよい。
【００３６】
実施例の印刷装置２０では、印刷装置本体２２の外形を高さが２０ｃｍ以下で幅が６０ｃｍ以下で奥行きが６０ｃｍ以下としたが、こうした外形に限定されるものではなく、如何なる形状をしていても構わない。
【００３７】
実施例の印刷装置２０では、側面の一方を正面２３とし、正面２３からインクカートリッジの着脱を行なったり、給排紙するものとしたが、インクカートリッジの着脱を他の部位から行なうものとしたり、給排紙を他の部位から行なうものとしても差し支えない。
【００３８】
実施例の印刷装置２０では、ビデオチップ４０からの表示出力の出力先としてケーブル１４を介して接続されたテレビ受像器１２としたが、他の如何なる表示機器を表示出力の出力先としても構わない。
【００３９】
以上、本発明を実施するための最良の形態について実施例を用いて説明したが、本発明はこうした実施例に何等限定されるものではなく、本発明の要旨を逸脱しない範囲内において、種々なる形態で実施し得ることは勿論である。
【産業上の利用可能性】
【００４０】
本発明は、印刷装置製造産業に利用可能である。
【図面の簡単な説明】
【００４１】
【図１】印刷システム１０の構成の概略を示す構成図。
【図２】メイン基板３０を中心とするブロック図。
【図３】リモコン９０の一例の外観図。
【図４】処理切替処理の一例を示すフローチャート。
【図５】メニュー画面１００の一例を示す説明図。
【図６】印刷設定画面２００の一例を示す説明図。
【図７】印刷設定画面２００の２番目の画面の一例を示す説明図。
【図８】写真選択画面３００の一例を示す説明図。
【図９】設定情報の一例を示す説明図。
【符号の説明】
【００４２】
１０  印刷システム、１２  テレビ受像器、１４  ケーブル、１５  ＰＣカード、１６  ＰＣ、１７  周辺機器、１９  電源、２０  印刷装置、２２  印刷装置本体、２３  正面、２４  カバー、２５  操作パネル、２６  受光部、２７  カードスロット、３０  メイン基板、３２  メイン制御ユニット、３４  ＲＯＭ、３６  ＳＤＲＡＭ、３８  カード操作部制御ユニット、４０  ビデオチップ、４２  ＶＲＡＭ、４４  モータドライバ、４６  ヘッド用ＤＡＣ、４８  ホスト用ＵＳＢコネクタ、５０  デバイス用ＵＳＢコネクタ、６０  キャリッジモータ、６１  ＰＦモータ、６２  ポンプモータ、６３  印刷ヘッド、６４  ＣＲエンコーダ、６５  ＰＦエンコーダ、６６  ＤＶＤトレー検出センサ、６７  用紙検出センサ、６８  用紙トレー検出センサ、６９  カバーオープンセンサ、９０  リモコン、９１  発光制御部、９２  発光部、９３ａ  電源ボタン、９３ｂ  拡大ボタン、９３ｃ  縮小ボタン、９３ｄ  メニューボタン、９３ｅ  戻るボタン、９３ｆ  ＯＫボタン、９３ｇ  左ボタン、９３ｈ  右ボタン、９３ｉ  上ボタン、９３ｊ  下ボタン、９３ｋ  処理戻しボタン、９３ｌ  処理進めボタン、９３ｍ  枚数増加ボタン、９３ｎ  枚数減少ボタン、９３ｏ  印刷開始ボタン、９３ｐ  印刷中止ボタン、９３ｑ〜９３ｔ  ボタン、１００  メニュー画面、１０２，２０２，３０２  処理表示領域、１０４，２０４  メニュー項目表示領域、１０８，２０８，３０８  ガイド表示領域、２００  印刷設定画面、３００  写真選択画面、３０４  印刷イメージ表示領域、３０５  印刷イメージ、３０６  画像表示領域。
【図１】
2005186317.tif 000003
【図２】
2005186317.tif 000004
【図３】
2005186317.tif 000005
【図４】
2005186317.tif 000006
【図５】
2005186317.tif 000007
【図６】
2005186317.tif 000008
【図７】
2005186317.tif 000009
【図８】
2005186317.tif 000010
【図９】
2005186317.tif 000011